(57)【要約】【課題】光警報器を地区音響回線に地区音響装置と混在させて接続する。【解決手段】地区音響回線（地区ベル回線３０）に接続され、電源供給を受けた場合に鳴動する地区音響装置（地区ベル５０）と、地区音響回線に接続され、当該地区音響回線の電圧変化が所定パターンの電圧変化である場合に同期発光する複数の光警報器６０と、感知器回線２０と地区音響回線とに接続され、感知器回線２０を介して火災感知器４０から火災検出信号を受信した場合に、地区音響装置の鳴動と光警報器６０の発光とによって警報を実行する制御手段（火災受信機１０）とを備え、制御手段は、地区音響装置の鳴動による警報の実行中に前記所定パターンの電圧変化と前記電源供給の再開を交互に繰り返し、所定パターンの電圧変化が生じる期間（中断期間）の長さが、地区音響装置の鳴動が継続可能な長さ、あるいは地区音響装置の鳴動が継続しているように聞こえる長さとなるよう構成した。【選択図】図１
2020003896.tif 000002
【特許請求の範囲】
【請求項１】
地区音響回線に接続され、当該地区音響回線を介して電源供給を受けた場合に鳴動する地区音響装置と、
前記地区音響回線に接続され、当該地区音響回線の電圧変化が所定パターンの電圧変化である場合に同期発光する複数の光警報器と、
火災感知器を接続する感知器回線と前記地区音響回線とに接続され、前記感知器回線を介して前記火災感知器から火災検出信号を受信した場合に、前記地区音響装置の鳴動と前記光警報器の発光とによって警報を実行する制御手段と、を備え、
前記制御手段は、前記地区音響装置の鳴動による警報の実行中に前記所定パターンの電圧変化と前記電源供給の再開を交互に繰り返し、
前記所定パターンの電圧変化が生じる期間の長さは、前記地区音響装置の鳴動が継続可能な長さ、あるいは前記地区音響装置の鳴動が継続しているように聞こえる長さに設定されていることを特徴とする光警報器制御システム。
【請求項２】
前記所定パターンの電圧変化は、所定時間の電源断制御によることを特徴とする請求項１に記載の光警報器制御システム。
【請求項３】
前記所定パターンの電圧変化によって、前記光警報器にバイナリコードを供給することを特徴とする請求項１に記載の光警報器制御システム。
【請求項４】
前記所定のバイナリコードには、発光させるグループを指定する情報が含まれており、
前記光警報器は、
複数のグループのうちのいずれかに属し、
当該光警報器が属するグループを発光させるグループとして指定する情報を含む前記所定のバイナリコードの供給を受けた場合に発光することを特徴とする請求項３に記載の光警報器制御システム。
【請求項５】
火災感知器から火災検出信号を受信した場合に複数の光警報器を制御する光警報器制御方法において、
地区音響回線に接続された地区音響装置を鳴動させるために当該地区音響回線を介して電源供給を行う電源供給ステップと、
前記地区音響回線に接続された前記複数の光警報器を同期発光させるために前記地区音響回線の電圧を所定パターンで変化させる電圧変化ステップと、を有し、
前記電源供給ステップと前記電圧変化ステップとを交互に行い、
前記電源供給ステップの終了から次の電源供給ステップの開始までの期間の長さが、前記地区音響装置の鳴動が継続可能な長さ、あるいは前記地区音響装置の鳴動が継続しているように聞こえる長さに設定されていることを特徴とする光警報器制御方法。
【請求項６】
前記地区音響回線の電圧の前記所定パターンでの変化は、所定時間の電源断制御によることを特徴とする請求項５に記載の光警報器制御方法。
【請求項７】
前記地区音響回線の電圧を前記所定パターンで変化させることによって、前記光警報器にバイナリコードを供給することを特徴とする請求項５に記載の光警報器制御方法。
【請求項８】
地区音響装置に電源電圧を供給するための地区音響回線に接続され、当該地区音響回線の電圧変化が所定パターンの電圧変化である場合に発光する光警報器であって、
前記地区音響回線の電圧変化のうち前記所定パターンの電圧変化を抽出するフィルタ手段と、
前記フィルタ手段を介して前記地区音響回線に接続され、駆動電力を生成する電力生成手段と、
前記電力生成手段によって生成された駆動電力を充電する充電手段と、
前記充電手段に充電された駆動電力を受けて、前記フィルタ手段によって抽出された所定パターンの電圧変化に基づき発光する発光手段と、を備えることを特徴とする光警報器。
【請求項９】
前記所定パターンの電圧変化は、所定時間の電源断制御によることを特徴とする請求項８に記載の光警報器。
【請求項１０】
前記所定パターンの電圧変化によって、当該光警報器にバイナリコードが供給されることを特徴とする請求項８に記載の光警報器。
【発明の詳細な説明】
【技術分野】
【０００１】
本発明は、光の点滅で火災の発生を知らせる光警報器を備えた光警報器制御システム、光の点滅で火災の発生を知らせる光警報器を制御する光警報器制御方法、及び光の点滅で火災の発生を知らせる光警報器に関する。
【背景技術】
【０００２】
従来、警戒区域に配置した複数の光警報器と、火災時に複数の光警報器を所定の発光周期で同期発光するように制御する光警報制御装置と、を備えた警報システムが知られている（例えば特許文献１参照）。光警報器は、視認性の高いフラッシュ光を点滅させることで火災発生を報知するものであり、ベルや音声などの警報音で火災発生を報知する地区音響装置（地区ベルや非常放送装置など）に加えて、光警報器を用いることで、例えば聴覚不自由者にも、火災発生を早期かつ確実に認識させることが可能となる。
【先行技術文献】
【特許文献】
【０００３】
【特許文献１】特開２０１７−４５３９７号公報
【発明の概要】
【発明が解決しようとする課題】
【０００４】
フラッシュ光の点滅による光感受性発作の発生を抑制する等の観点から、複数の光警報器を所定の発光周期（例えば０．５Ｈｚから２Ｈｚの周期）で同期発光するように制御する必要がある。しかしながら、地区音響装置用の回線である地区音響回線に複数の光警報器を接続するだけでは、これら光警報器を同期発光させることができない。すなわち、地区音響回線に接続した複数の光警報器を同期発光させるためには、光警報器用の専用配線や専用装置が必要であるため、追加工事やリニューアル工事では光警報器の設置が難しかった。
本発明の目的は、光警報器用の専用配線や専用装置を用いることなく光警報器を地区音響回線に地区音響装置と混在させて接続することが可能な光警報器制御システム及び光警報器制御方法、並びに光警報器用の専用配線や専用装置を用いることなく地区音響回線に地区音響装置と混在させて接続することが可能な光警報器を提供することである。
【課題を解決するための手段】
【０００５】
上記課題を解決するために、本発明は、
光警報器制御システムであって、
地区音響回線に接続され、当該地区音響回線を介して電源供給を受けた場合に鳴動する地区音響装置と、
前記地区音響回線に接続され、当該地区音響回線の電圧変化が所定パターンの電圧変化である場合に同期発光する複数の光警報器と、
火災感知器を接続する感知器回線と前記地区音響回線とに接続され、前記感知器回線を介して前記火災感知器から火災検出信号を受信した場合に、前記地区音響装置の鳴動と前記光警報器の発光とによって警報を実行する制御手段と、を備え、
前記制御手段は、前記地区音響装置の鳴動による警報の実行中に前記所定パターンの電圧変化と前記電源供給の再開を交互に繰り返し、
前記所定パターンの電圧変化が生じる期間の長さは、前記地区音響装置の鳴動が継続可能な長さ、あるいは前記地区音響装置の鳴動が継続しているように聞こえる長さに設定されるように構成したものである。
【０００６】
上記のような構成を有する光警報器制御システムによれば、地区音響装置に電源供給を行うための地区音響回線の電圧を所定パターンで変化させることによって、複数の光警報器に発光タイミングを知らせることができるため、地区音響回線に接続する地区音響装置の鳴動に影響を与えることなく、当該地区音響回線に接続する複数の光警報器を同期発光させることができる。したがって、光警報器用の専用配線や専用装置を用いることなく光警報器を地区音響回線に地区音響装置と混在させて接続することができるため、追加工事やリニューアル工事での光警報器の設置が容易となり、工事費（配線コストや装置コストを含む）も抑えることができる。
【０００７】
ここで、望ましくは、
前記所定パターンの電圧変化は、所定時間の電源断制御によるように構成する。
かかる構成によれば、電源のＯＮ／ＯＦＦだけで複数の光警報器に発光タイミングを知らせることができる。
【０００８】
また、望ましくは、
前記所定パターンの電圧変化によって、前記光警報器にバイナリコードを供給するように構成する。
かかる構成によれば、地区音響装置に電源供給を行うための地区音響回線を介して、複数の光警報器に所定のバイナリコードを供給することができるため、地区音響回線に接続する地区音響装置の鳴動に影響を与えることなく、当該地区音響回線に接続する複数の光警報器を同期発光させることができる。
【０００９】
また、望ましくは、
前記所定のバイナリコードには、発光させるグループを指定する情報が含まれており、
前記光警報器は、
複数のグループのうちのいずれかに属し、
当該光警報器が属するグループを発光させるグループとして指定する情報を含む前記所定のバイナリコードの供給を受けた場合に発光するように構成する。
【００１０】
かかる構成によれば、一の地区音響回線に接続されている複数の光警報器の発光タイミングをグループ毎にずらすことができるため、発光時に消費される消費電流を分散することが可能となる。よって、電源回路や制御回路や回線などの電気的な最大容量を下げることができるため、小回路化、低コスト化を実現することが可能となる。
【００１１】
本出願の他の発明は、光警報器制御方法であって、
火災感知器から火災検出信号を受信した場合に複数の光警報器を制御する光警報器制御方法において、
地区音響回線に接続された地区音響装置を鳴動させるために当該地区音響回線を介して電源供給を行う電源供給ステップと、
前記地区音響回線に接続された前記複数の光警報器を同期発光させるために前記地区音響回線の電圧を所定パターンで変化させる電圧変化ステップと、を有し、
前記電源供給ステップと前記電圧変化ステップとを交互に行い、
前記電源供給ステップの終了から次の電源供給ステップの開始までの期間の長さが、前記地区音響装置の鳴動が継続可能な長さ、あるいは前記地区音響装置の鳴動が継続しているように聞こえる長さに設定されるように構成したものである。
【００１２】
上記のような構成を有する光警報器制御方法によれば、地区音響装置に電源供給を行うための地区音響回線の電圧を所定パターンで変化させることによって、複数の光警報器に発光タイミングを知らせることができるため、地区音響回線に接続する地区音響装置の鳴動に影響を与えることなく、当該地区音響回線に接続する複数の光警報器を同期発光させることができる。したがって、光警報器用の専用配線や専用装置を用いることなく光警報器を地区音響回線に地区音響装置と混在させて接続することができるため、追加工事やリニューアル工事での光警報器の設置が容易となり、工事費（配線コストや装置コストを含む）も抑えることができる。
【００１３】
ここで、望ましくは、
前記地区音響回線の電圧の前記所定パターンでの変化は、所定時間の電源断制御によるように構成する。
かかる構成によれば、電源のＯＮ／ＯＦＦだけで複数の光警報器に発光タイミングを知らせることができる。
【００１４】
また、望ましくは、
前記地区音響回線の電圧を前記所定パターンで変化させることによって、前記光警報器にバイナリコードを供給するように構成する。
かかる構成によれば、地区音響装置に電源供給を行うための地区音響回線を介して、複数の光警報器に所定のバイナリコードを供給することができるため、地区音響回線に接続する地区音響装置の鳴動に影響を与えることなく、当該地区音響回線に接続する複数の光警報器を同期発光させることができる。
【００１５】
本出願の他の発明は、
地区音響装置に電源電圧を供給するための地区音響回線に接続され、当該地区音響回線の電圧変化が所定パターンの電圧変化である場合に発光する光警報器であって、
前記地区音響回線の電圧変化のうち前記所定パターンの電圧変化を抽出するフィルタ手段と、
前記フィルタ手段を介して前記地区音響回線に接続され、駆動電力を生成する電力生成手段と、
前記電力生成手段によって生成された駆動電力を充電する充電手段と、
前記充電手段に充電された駆動電力を受けて、前記フィルタ手段によって抽出された所定パターンの電圧変化に基づき発光する発光手段と、を備えるように構成したものである。
【００１６】
上記のような構成を有する光警報器によれば、地区音響装置に電源供給を行うための地区音響回線を介して、電源供給と発光指示とを受けることができる。したがって、光警報器は、光警報器用の専用配線や専用装置を用いることなく地区音響回線に地区音響装置と混在させて接続することができるため、追加工事やリニューアル工事での光警報器の設置が容易となり、工事費（配線コストや装置コストを含む）も抑えることができる。
【００１７】
ここで、望ましくは、
前記所定パターンの電圧変化は、所定時間の電源断制御によるように構成する。
かかる構成によれば、電源のＯＮ／ＯＦＦだけで光警報器に発光タイミングを知らせることができる。
【００１８】
また、望ましくは、
前記所定パターンの電圧変化によって、当該光警報器にバイナリコードが供給されるように構成する。
かかる構成によれば、地区音響装置に電源供給を行うための地区音響回線を介して、光警報器に所定のバイナリコードを供給することで、光警報器に発光タイミングを知らせることができる。
【発明の効果】
【００１９】
本発明によれば、光警報器を地区音響回線に地区音響装置と混在させて接続することができるため、追加工事やリニューアル工事での光警報器の設置が容易となり、工事費（配線コストや装置コストを含む）も抑えることができる。
【図面の簡単な説明】
【００２０】
【図１】実施形態の光警報器制御システムの一例を示すブロック図である。
【図２】（ａ）は地区警報回路の一例を示すブロック図であり、（ｂ）は地区ベルによる警報（鳴動）と光警報器による警報（発光）のタイミングの一例を示すタイミングチャートである。
【図３】光警報器の一例を示すブロック図である。
【図４】地区ベル光警報制御回路による制御手順の一例を示すフローチャートである。
【図５】（ａ）は第２実施形態について説明する図であり、（ｂ）は第２実施形態の光警報器の一例を示すブロック図である。
【図６】第２実施形態における、地区ベルによる警報（鳴動）と光警報器による警報（発光）のタイミングの一例を示すタイミングチャートである。
【図７】第２実施形態における、地区ベル光警報制御回路による制御手順の一例を示すフローチャートである。
【図８】第１変形例の光警報器制御システムの一例を示すブロック図である。
【図９】第１変形例の地区ベル光警報制御中継器の一例を示すブロック図である。
【発明を実施するための形態】
【００２１】
以下、図面を参照して、本発明を適用した光警報器制御システム、光警報器制御方法及び光警報器の実施形態について説明する。
＜第１実施形態＞
本実施形態の光警報器制御システム１は、火災警報システムであり、例えば図１に示すように、火災受信機１０と、火災受信機１０に接続された感知器回線２０及び地区ベル回線３０と、感知器回線２０に接続された複数の火災感知器４０と、地区ベル回線３０に接続された複数の地区ベル５０及び複数の光警報器６０とを備えて構成される。
【００２２】
火災感知器４０は、例えば、熱、煙、炎、有害ガスなどの異常現象の発生を検出すると、火災検出信号を、感知器回線２０を介して火災受信機１０に送信する。
火災受信機１０は、例えば、光警報器制御システム１が設備されている建物の管理室等に設置され、当該建物に設置された火災感知器４０からの火災検出信号を受信して、当該建物に設置された地区ベル５０及び光警報器６０によって火災の発生を報知する。
【００２３】
例えば図１に示すように、火災受信機１０は、ＣＰＵ（中央処理装置）とＲＯＭやＲＡＭなどのメモリとを内蔵しＲＯＭに格納されているプログラムに従って動作するＭＣＵ（マイクロコンピュータユニット）などからなる制御回路１１と、感知器回線２０と接続するｍ個の地区感知回路１２と、地区ベル回線３０と接続するｎ個の地区警報回路１３と、制御回路１１からの表示信号に従って各種情報を図示しない表示手段（液晶ディスプレイ、７セグ表示器、ランプ等）に表示するとともに図示しない操作手段（タッチパネル、操作ボタン等）に対するユーザの各種入力操作を受け付けて操作信号を制御回路１１に出力する表示・操作回路１４と、外部電源からの電力を受けて火災受信機１０の各部の動作電力を生成する電源回路１５とを備える。
【００２４】
制御回路１１は、地区感知回路１２が火災感知器４０からの火災検出信号を受信したことに基づいて、地区警報回路１３に警報するよう指示する警報コマンドを送信する。
地区感知回路１２は、感知器回線２０を介して当該感知器回線２０に接続する各火災感知器４０に電源電圧を供給するとともに、感知器回線２０を介して火災感知器４０からの火災検出信号を受信して制御回路１１に出力する。
地区警報回路１３は、地区ベル回線３０を介して当該地区ベル回線３０に接続する各地区ベル５０及び各光警報器６０に電源電圧を供給するとともに、地区ベル回線３０を介して光警報器６０に発光するよう指示する発光コマンドを送信する。なお、地区ベル５０は、地区ベル回線３０を介して電源電圧（例えば２４Ｖの直流電圧）が供給されると鳴動し、電源電圧の供給が停止すると鳴動が停止するよう構成されているため、地区ベル５０には鳴動するよう指示するコマンドは送信されない。
【００２５】
図２（ａ）は、地区警報回路１３の一例を示すブロック図であり、図３は、光警報器６０の一例を示すブロック図である。
地区警報回路１３は、例えば図２（ａ）に示すように、地区ベル光警報制御回路１３ａと、電源回路１５からの電力を受けて地区ベル５０及び光警報器６０の電源を生成する地区ベル光警報電源回路１３ｂと、発光コマンドの送信を制御するコマンド送信回路１３ｃと、地区ベル光警報電源回路１３ｂからの電源に発光タイミングを指定する情報を重畳する重畳回路１３ｄとを備える。
地区ベル光警報制御回路１３ａは、例えば、制御回路１１からの警報コマンドに基づいて、地区ベル光警報電源回路１３ｂとコマンド送信回路１３ｃとを制御する。
【００２６】
光警報器６０は、例えば図３に示すように、地区ベル回線３０の出力（電源電圧や発光コマンド）からノイズを除去するとともに地区ベル回線３０の出力から発光コマンドを抽出するフィルタ回路６１と、フィルタ回路６１を介して地区ベル回線３０からの電圧を受けて制御回路６５や発光回路６６の駆動電力を生成する電源回路６２と、電源回路６２によって生成された駆動電力を充電して制御回路６５や発光回路６６に供給する充電回路６３と、フィルタ回路６１によって抽出された発光コマンドを受信して制御回路６５に出力するコマンド受信回路６４と、コマンド受信回路６４からの発光コマンドに基づいて発光回路６６を制御する制御回路６５と、発光素子６７を発光させる発光回路６６と、発光素子６７とを備える。
【００２７】
すなわち、フィルタ回路６１が、地区音響回線（地区ベル回線３０）の電圧変化のうち所定パターンの電圧変化（発光コマンド）を抽出するフィルタ手段をなす。
また、電源回路６２が、フィルタ手段を介して地区音響回線に接続され、駆動電力を生成する電力生成手段をなす。
また、充電回路６３が、電力生成手段によって生成された駆動電力を充電する充電手段をなす。
また、発光回路６６及び発光素子６７が、充電手段に充電された駆動電力を受けて、フィルタ手段によって抽出された所定パターンの電圧変化（発光コマンド）に基づき発光する発光手段をなす。
【００２８】
次に、本実施形態における、地区ベル５０による警報（鳴動）と光警報器６０による警報（発光）のタイミングの一例について、図２（ｂ）のタイミングチャートを用いて説明する。
図２（ｂ）に示すように、地区警報回路１３の地区ベル光警報制御回路１３ａは、制御回路１１からの警報コマンドの入力が開始すると（ｔ１１）、地区ベル光警報電源回路１３ｂを制御して各地区ベル５０への電源供給を開始する。すなわち、地区ベル光警報電源回路１３ｂによる電源電圧（例えば２４Ｖの直流電圧）の生成を開始する。これにより、地区ベル光警報電源回路１３ｂによって生成された電源電圧が重畳回路１３ｄを介して地区ベル回線３０に出力されることとなるため、各地区ベル５０の鳴動が開始する。また、光警報器６０も地区ベル回線３０に接続されているため、光警報器６０にも電源電圧（例えば２４Ｖの直流電圧）が供給される。したがって、各地区ベル５０の鳴動の開始とともに、各光警報器６０の充電が開始する。
【００２９】
次いで、電源供給を開始してから所定の供給期間が経過すると（ｔ１２）、電源供給を中断し、所定の中断期間が経過すると（ｔ１３）、電源供給を再開し、電源供給を再開してから所定の供給時間が経過すると（ｔ１４）、電源供給を中断し、所定の中断期間が経過すると（ｔ１５）、電源供給を再開する。すなわち、電源供給の中断と再会を繰り返し行う。
【００３０】
中断期間の長さは、例えば３０ｍ秒から５０ｍ秒までの範囲内から選択される。本実施形態の地区ベル５０は、ＤＣモータで鳴動させているため、５０ｍ秒程度の瞬断であれば反応せず、例えば図２（ｂ）に示すように連続的に鳴動する。あるいは、瞬断に反応して地区ベル５０の鳴動が一時停止したとしても、５０ｍ秒程度の鳴動停止であれば気付かれないため、連続的に鳴動しているように聞こえる。また、鳴動停止に気付かれたとしても、５０ｍ秒程度の鳴動停止であれば火災が収まったと勘違いされる虞は少ない。
そして、制御回路１１からの警報コマンドの入力が停止すると（ｔ１６）、各地区ベル５０への電源供給を終了する。これにより、各地区ベル５０の鳴動が停止するとともに、各光警報器６０の充電が停止する。
【００３１】
さらに、地区ベル光警報制御回路１３ａは、中断期間（ｔ１２〜ｔ１３、ｔ１４〜ｔ１５）になると、コマンド送信回路１３ｃを制御して発光コマンドとしての同期パルスを各光警報器６０へ送信する。すなわち、地区ベル光警報電源回路１３ｂによって生成された電源電圧（例えば２４Ｖの直流電圧）をコマンド送信回路１３ｃ及び重畳回路１３ｄによってパルス化する。これにより、発光コマンドとしての同期パルスが地区ベル回線３０に出力されることとなるため、各光警報器６０が同期発光する。
【００３２】
具体的には、例えば、重畳回路１３ｄは、地区ベル光警報電源回路１３ｂと地区ベル回線３０との接続のオン状態（接続状態）とオフ状態（非接続状態）とを切り替える回路であり、常態ではオン状態となっている。コマンド送信回路１３ｃは、重畳回路１３ｄにオフ状態に切り替わる旨のオフ指示を行う回路であり、中断期間になると、重畳回路１３ｄに対してオフ指示を複数回繰り返し行うことによって、地区ベル光警報電源回路１３ｂからの電源電圧をもとに発光コマンドとして機能するパルス信号を生成させる。すなわち、中断期間になると、所定時間の電源断制御を複数回行うことによって、パルス信号を生成させる。そして、光警報器６０の制御回路６５は、コマンド受信回路６４が受信したパルス信号が発光コマンドとして機能するパルス信号であると判定した場合に、発光回路６６を制御して発光素子６７を発光させる。
【００３３】
なお、光警報器６０の発光周期、すなわち発光開始から次の発光開始までの時間は、例えば０．５秒から２秒までの範囲内から選択される。
また、地区ベル５０も地区ベル回線３０に接続されているため、地区ベル５０にも発光コマンド（同期パルス）は送信される。しかし、前述したように、本実施形態の地区ベル５０には、ＤＣモータで鳴動させているため、発光コマンドには反応しない。
【００３４】
次に、本実施形態における、地区ベル光警報制御回路１３ａによる制御手順の一例について、図４のフローチャートを用いて説明する。
図４に示すように、火災受信機１０の電源が投入されて制御が開始されると、地区ベル光警報制御回路１３ａは、まず、制御回路１１からの入力状態に基づいて警報を開始するかを判定し（ステップＳ１１）、警報を開始しないと判定した場合（ステップＳ１１；Ｎｏ）、すなわち火災が発生していない場合には、ステップＳ１１の処理を繰り返し行う。
一方、警報を開始すると判定した場合（ステップＳ１１；Ｙｅｓ）、すなわち火災が発生している場合には、地区ベル光警報電源回路１３ｂに電源供給の開始を指示する（ステップＳ１２）。これにより、地区ベル光警報電源回路１３ｂがＯＮ状態となって、各地区ベル５０では鳴動が開始され、各光警報器６０では充電が開始される。
【００３５】
次いで、電源供給を行う供給期間を計時する供給期間タイマを＋１更新して（ステップＳ１３）、供給期間タイマがタイムアップしたかを判定する（ステップＳ１４）。供給時間タイマがタイムアップしていないと判定した場合（ステップＳ１４；Ｎｏ）には、ステップＳ１３の処理に戻る。
一方、供給時間タイマがタイムアップしたと判定した場合（ステップＳ１４；Ｙｅｓ）には、供給時間タイマをクリアして（ステップＳ１５）、コマンド送信回路１３ｃに発光コマンドの送信を指示する（ステップＳ１６）。これにより、地区ベル光警報電源回路１３ｂからの電源電圧がコマンド送信回路１３ｃ及び重畳回路１３ｄによってパルス化されて、各光警報器６０が同期発光する。
【００３６】
次いで、電源供給を中断する中断期間を計時する中断期間タイマを＋１更新して（ステップＳ１７）、中断期間タイマがタイムアップしたかを判定する（ステップＳ１８）。中断期間タイマがタイムアップしていないと判定した場合（ステップＳ１８；Ｎｏ）には、ステップＳ１７の処理に戻る。
一方、中断時間タイマがタイムアップしたと判定した場合（ステップＳ１８；Ｙｅｓ）には、中断時間タイマをクリアして（ステップＳ１９）、制御回路１１からの入力状態に基づいて警報を終了するかを判定する（ステップＳ２０）。
【００３７】
警報を終了しないと判定した場合（ステップＳ２０；Ｎｏ）、すなわち火災が継続している場合には、ステップＳ１３の処理に戻る。
一方、警報を終了すると判定した場合（ステップＳ２０；Ｙｅｓ）、すなわち火災が収まった場合には、地区ベル光警報電源回路１３ｂに電源供給の終了を指示する（ステップＳ２１）。これにより、地区ベル光警報電源回路１３ｂがＯＦＦ状態となって、各地区ベル５０では鳴動が終了し、各光警報器６０では充電が終了する。
【００３８】
このように本実施形態の光警報器制御システム１は、地区音響回線（地区ベル回線３０）に接続され、当該地区音響回線を介して電源供給を受けた場合に鳴動する地区音響装置（地区ベル５０）と、地区音響回線に接続され、当該地区音響回線の電圧変化が所定パターンの電圧変化である場合に同期発光する複数の光警報器６０と、火災感知器４０を接続する感知器回線２０と地区音響回線とに接続され、感知器回線２０を介して火災感知器４０から火災検出信号を受信した場合に、地区音響装置の鳴動と光警報器６０の発光とによって警報を実行する制御手段（火災受信機１０）と、を備え、制御手段は、地区音響装置の鳴動による警報の実行中に前記所定パターンの電圧変化と前記電源供給の再開を交互に繰り返し、所定パターンの電圧変化が生じる期間（中断期間）の長さは、地区音響装置の鳴動が継続可能な長さ、あるいは地区音響装置の鳴動が継続しているように聞こえる長さ（例えば５０ｍ秒以下）に設定されるよう構成されている。
【００３９】
また、本実施形態の光警報器制御方法は、火災感知器４０から火災検出信号を受信した場合に複数の光警報器６０を制御する光警報器制御方法において、地区音響回線（地区ベル回線３０）に接続された地区音響装置（地区ベル５０）を鳴動させるために当該地区音響回線を介して電源供給を行う電源供給ステップ（図２におけるｔ１１〜ｔ１２、ｔ１３〜ｔ１４、ｔ１５〜ｔ１６。図４におけるステップＳ１２〜Ｓ１５）と、地区音響回線に接続された複数の光警報器６０を同期発光させるために地区音響回線の電圧を所定パターンで変化させる電圧変化ステップ（図２におけるｔ１２〜ｔ１３、ｔ１４〜ｔ１５。図４におけるステップＳ１６〜Ｓ１９）と、を有し、電源供給ステップと電圧変化ステップとを交互に行い、電源供給ステップの終了から次の電源供給ステップの開始までの期間（中間期間）の長さが、地区音響装置の鳴動が継続可能な長さ、あるいは前記地区音響装置の鳴動が継続しているように聞こえる長さ（例えば５０ｍ秒以下）に設定されるよう構成されている。
さらに、本実施形態の光警報器制御システム１及び光警報器制御方法は、地区音響回線（地区ベル回線３０）の電圧を所定パターンで変化させることによって、光警報器６０にバイナリコード（発光コマンド）を供給するよう構成されている。
【００４０】
＜第２実施形態＞
次に、本発明の第２実施形態について説明する。なお、ここでは、第１実施形態と共通する構成についての説明は省略する。第２実施形態では、一の地区ベル回線３０に接続されている各光警報器６０がグループ分けされている。
光警報器６０の発光タイミングを同期させる理由は、複数の光警報器６０の点滅による光感受性発作の発生を抑制するためである。したがって、例えば、第１の光警報器６０と第２の光警報器６０とが異なる部屋や異なるフロア（階）に設置されている場合には、第１の光警報器６０の点滅と第２の光警報器６０の点滅とは同時に視認されることがないため、第１の光警報器６０の発光タイミングと第２の光警報器６０の発光タイミングとを同期させる必要がない。すなわち、同一エリアに設置されている光警報器６０、すなわち点滅を同時に視認可能な光警報器６０のみを同期発光させれば良い。
【００４１】
具体的には、例えば図５（ａ）に示すように、本実施形態の光警報器制御システム１が設備されている建物の所定フロア（例えば２階）には、部屋Ａと部屋Ｂと部屋Ｃと共用部Ｄとが設けられており、当該所定フロアに設置されている各光警報器６０は、同一の地区ベル回線３０に接続されている。部屋Ａと部屋Ｂと部屋Ｃとはそれぞれ、出入り口に設けられたドアを閉めることで、部屋の外部から内部及び部屋の内部から外部を視認できない状態になる。したがって、部屋Ａに設置されている光警報器６０は、他のエリア（部屋Ｂ、部屋Ｃ、共用部Ｄ）に設置されている光警報器６０と同期発光させる必要がない。同様に、部屋Ｂに設置されている光警報器６０、部屋Ｃに設置されている光警報器６０、共用部Ｄに設置されている光警報器６０も、他のエリアに設置されている光警報器６０と同期発光させる必要がない。
【００４２】
一の地区ベル回線３０に接続されている光警報器６０の発光タイミングをずらすことで、発光時に消費される消費電流を分散できるため、電源回路や制御回路や回線などの電気的な最大容量を下げることができ、小回路化、低コスト化を実現することが可能となる。そこで、本実施形態では、一の地区ベル回線３０に接続されている各光警報器６０をグループ分けして、発光タイミングをグループ毎にずらすこととする。
具体的には、例えば図５（ａ）に示す例において、当該所定フロアに設置されている各光警報器６０を、部屋Ａに設置されている第１グループと、部屋Ｂに設置されている第２グループと、部屋Ｃに設置されている第３グループと、共用部Ｄに設置されている第４グループとにグループ分けする。
【００４３】
さらに、例えば図５（ｂ）に示すように、光警報器６０に、当該光警報器６０が属するグループを設定するためのディップスイッチ等からなるグループ設定回路６８を設ける。そして、部屋Ａに設置する光警報器６０（図５（ａ）における光警報器Ａ１，Ａ２）のグループ設定回路６８に第１グループ用の設定を行い、部屋Ｂに設置する光警報器６０（図５（ａ）における光警報器Ｂ１，Ｂ２）のグループ設定回路６８に第２グループ用の設定を行い、部屋Ｃに設置する光警報器６０（図５（ａ）における光警報器Ｃ１，Ｃ２）のグループ設定回路６８に第３グループ用の設定を行い、共用部Ｄに設置する光警報器６０（図５（ａ）における光警報器Ｄ１，Ｄ２，Ｄ３）のグループ設定回路６８に第４グループ用の設定を行う。
なお、グループ設定回路６８は、属するグループを識別するグループ識別情報（例えばグループ番号）を記憶した不揮発性メモリ等であっても良い。
【００４４】
また、地区警報回路１３の重畳回路１３ｄは、地区ベル光警報電源回路１３ｂからの電源電圧に、発光タイミングを指定する情報と、発光させるグループを指定する情報とを重畳して発光コマンドを生成する。すなわち、本実施形態の場合、地区ベル回線３０に出力される発光コマンドとしての同期パルスには、発光タイミングを指定する情報だけでなく、発光させるグループを指定する情報（例えばグループ番号）も含まれている。
【００４５】
次に、本実施形態における、地区ベル５０による警報（鳴動）と光警報器６０による警報（発光）のタイミングの一例について、図６のタイミングチャートを用いて説明する。
図６に示すように、地区警報回路１３の地区ベル光警報制御回路１３ａは、制御回路１１からの警報コマンドの入力が開始すると（ｔ２１）、地区ベル光警報電源回路１３ｂを制御して各地区ベル５０への電源供給を開始する。これにより、各地区ベル５０の鳴動が開始するとともに、各光警報器６０の充電が開始する。
【００４６】
次いで、電源供給を開始してから所定の供給期間が経過すると（ｔ２２）、電源供給を中断する。そして、地区ベル光警報制御回路１３ａは、コマンド送信回路１３ｃを制御して第１グループに属する各光警報器６０を発光させるための第１グループ用の発光コマンド（第１波形パターンの同期パルス）を各光警報器６０へ送信する。
光警報器６０の制御回路６５は、グループ設定回路６８の設定状態を読み込んで当該光警報器６０の属するグループが第１グループであると判定し、かつ、コマンド受信回路６４が受信したパルス信号が第１グループ用の発光コマンドとして機能するパルス信号であると判定した場合に、発光回路６６を制御して発光素子６７を発光させる。これにより、第１グループに属する各光警報器６０、すなわち部屋Ａに設置されている各光警報器６０が同期発光する。
【００４７】
次いで、所定の中断期間が経過すると（ｔ２３）、電源供給を再開し、電源供給を再開してから所定の供給時間が経過すると（ｔ２４）、電源供給を中断する。そして、地区ベル光警報制御回路１３ａは、コマンド送信回路１３ｃを制御して第２グループに属する各光警報器６０を発光させるための第２グループ用の発光コマンド（第１波形パターンとは異なる第２波形パターンの同期パルス）を各光警報器６０へ送信する。
光警報器６０の制御回路６５は、グループ設定回路６８の設定状態を読み込んで当該光警報器６０の属するグループが第２グループであると判定し、かつ、コマンド受信回路６４が受信したパルス信号が第２グループ用の発光コマンドとして機能するパルス信号であると判定した場合に、発光回路６６を制御して発光素子６７を発光させる。これにより、第２グループに属する各光警報器６０、すなわち部屋Ｂに設置されている各光警報器６０が同期発光する。
【００４８】
次いで、所定の中断期間が経過すると（ｔ２５）、電源供給を再開し、電源供給を再開してから所定の供給時間が経過すると（ｔ２６）、電源供給を中断する。そして、地区ベル光警報制御回路１３ａは、コマンド送信回路１３ｃを制御して第３グループに属する各光警報器６０を発光させるための第３グループ用の発光コマンド（第１波形パターン及び第２波形パターンとは異なる第３波形パターンの同期パルス）を各光警報器６０へ送信する。
光警報器６０の制御回路６５は、グループ設定回路６８の設定状態を読み込んで当該光警報器６０の属するグループが第３グループであると判定し、かつ、コマンド受信回路６４が受信したパルス信号が第３グループ用の発光コマンドとして機能するパルス信号であると判定した場合に、発光回路６６を制御して発光素子６７を発光させる。これにより、第３グループに属する各光警報器６０、すなわち部屋Ｃに設置されている各光警報器６０が同期発光する。
【００４９】
次いで、所定の中断期間が経過すると（ｔ２７）、電源供給を再開し、電源供給を再開してから所定の供給時間が経過すると（ｔ２８）、電源供給を中断する。そして、地区ベル光警報制御回路１３ａは、コマンド送信回路１３ｃを制御して第４グループに属する各光警報器６０を発光させるための第４グループ用の発光コマンド（第１波形パターン、第２波形パターン及び第３波形パターンとは異なる第４波形パターンの同期パルス）を各光警報器６０へ送信する。
光警報器６０の制御回路６５は、グループ設定回路６８の設定状態を読み込んで当該光警報器６０の属するグループが第４グループであると判定し、かつ、コマンド受信回路６４が受信したパルス信号が第４グループ用の発光コマンドとして機能するパルス信号であると判定した場合に、発光回路６６を制御して発光素子６７を発光させる。これにより、第４グループに属する各光警報器６０、すなわち共用部Ｄに設置されている各光警報器６０が同期発光する。
次いで、所定の中断期間が経過すると（ｔ２９）、電源供給を再開し、以降、制御回路１１からの警報コマンドの入力が停止するまで、電源供給の中断と再会を繰り返し行い、中断期間になる度に、第１〜第４グループ用の発光コマンドのうちのいずれか一つを送信する。
【００５０】
次に、本実施形態における、地区ベル光警報制御回路１３ａによる制御手順の一例について、図７のフローチャートを用いて説明する。本実施形態のフローチャートは、ステップＳ１６に替えてステップＳ１６ａ〜Ｓ１６ｄの処理を行う点が、第１実施形態のフローチャート（図４）と異なる。
図７に示すように、地区ベル光警報制御回路１３ａは、供給時間タイマをクリアする処理（ステップＳ１５）を行った後、番号Ｎ（番号記憶領域に記憶している値）が４であるかを判定する（ステップＳ１６ａ）。そして、番号Ｎが４でない場合（ステップＳ１６ａ；Ｎｏ）、すなわち番号Ｎが１、２又は３である場合には、番号Ｎを＋１更新して（ステップＳ１６ｃ）、コマンド送信回路１３ｃに第Ｎ（更新後のＮ）グループ用の発光コマンドの送信を指示する（ステップＳ１６ｄ）。これにより、地区ベル光警報電源回路１３ｂからの電源電圧がコマンド送信回路１３ｃ及び重畳回路１３ｄによってパルス化されて、第Ｎグループ（この場合、第２グループ、第３グループ、又は第４グループ）に属する各光警報器６０が同期発光する。
【００５１】
一方、番号Ｎが４である場合（ステップＳ１６ａ；Ｙｅｓ）には、番号Ｎを０クリアする（ステップＳ１６ｂ）。その後、番号Ｎを＋１更新して（ステップＳ１６ｃ）、コマンド送信回路１３ｃに第Ｎ（更新後のＮ）グループ用の発光コマンドの送信を指示する（ステップＳ１６ｄ）。これにより、地区ベル光警報電源回路１３ｂからの電源電圧がコマンド送信回路１３ｃ及び重畳回路１３ｄによってパルス化されて、第Ｎグループ（この場合、第１グループ）に属する各光警報器６０が同期発光する。
なお、本実施形態では、例えば図５（ａ）に示すように、光警報器６０が４つのグループのうちのいずれかに属するため、番号Ｎの上限を４としているが、番号Ｎの上限は、グループの数に応じて適宜変更可能である。
【００５２】
このように本実施形態の光警報器制御システム１において、所定のバイナリコード（発光コマンド）には、発光させるグループを指定する情報が含まれており、光警報器６０は、複数のグループのうちのいずれかに属し、当該光警報器６０が属するグループを発光させるグループとして指定する情報を含む所定のバイナリコードを受信した場合に発光するよう構成されている。
したがって、一の地区音響回線（地区ベル回線３０）に接続されている複数の光警報器６０の発光タイミングをグループ毎にずらすことができるため、発光時に消費される消費電流を分散することが可能となる。よって、電源回路や制御回路や回線などの電気的な最大容量を下げることができるため、小回路化、低コスト化を実現することが可能となる。
【００５３】
＜変形例１＞
次に、上述した実施形態の光警報器制御システム１の変形例について説明する。なお、基本的には、上述の実施形態の光警報器制御システム１と同様の構成を有しており、以下、同様の構成を有する部分については同じ符号を付して説明を省略し、主に異なる部分について説明する。本変形例の光警報器制御システム１では、火災受信機１０と地区ベル回線３０とが地区ベル光警報制御中継器８０（以下、単に「中継器８０」という）を介して接続されている。
具体的には、本変形例の光警報器制御システム１は、例えば図８に示すように、火災受信機１０と、火災受信機１０に接続された感知器回線（伝送回線）２０及び地区ベル・光警報電力線７０と、感知器回線２０に接続された複数の火災感知器４０と、感知器回線２０及び地区ベル・光警報電力線７０に接続された中継器８０と、中継器８０に接続された地区ベル回線３０と、地区ベル回線３０に接続された複数の地区ベル５０及び複数の光警報器６０とを備えて構成される。
【００５４】
本変形例の火災受信機１０は、例えば図８に示すように、地区感知回路１２及び地区警報回路１３に替えて伝送回路１６を備えている。伝送回路１６は、地区感知回路１２と同等の機能を有する。すなわち、伝送回路１６は、感知器回線２０を介して当該感知器回線２０に接続する各火災感知器４０に電源電圧を供給するとともに、感知器回線２０を介して火災感知器４０からの火災検出信号を受信して制御回路１１に出力する。
さらに、伝送回路１６は、地区ベル・光警報電力線７０を介して電源回路１５により生成された動作電力を中継器８０に供給するとともに、地区ベル・光警報電力線７０を介して制御回路１１からの警報コマンドを中継器８０に送信する。
【００５５】
図９は、中継器８０の一例を示すブロック図である。
中継器８０は、地区ベル回線３０を介して当該地区ベル回線３０に接続する各地区ベル５０及び各光警報器６０に電源電圧を供給するとともに、地区ベル回線３０を介して光警報器６０に発光するよう指示する発光コマンドを送信する。すなわち、中継器８０は、地区警報回路１３と同等の機能を有する。
具体的には、中継器８０は、例えば図９に示すように、地区ベル光警報制御回路１３ａと、地区ベル・光警報電力線７０を介して供給された電源回路１５からの電力を受けて地区ベル５０及び光警報器６０の電源を生成する地区ベル光警報電源回路１３ｂと、発光コマンドの送信を制御するコマンド送信回路１３ｃと、地区ベル光警報電源回路１３ｂからの電源に発光タイミングを指定する情報を重畳する重畳回路１３ｄとを備える。
地区ベル光警報制御回路１３ａは、例えば、地区ベル・光警報電力線７０を介して送信された制御回路１１からの警報コマンドに基づいて、地区ベル光警報電源回路１３ｂとコマンド送信回路１３ｃとを制御する。
【００５６】
本変形例の場合、火災受信機１０及び中継器８０が、火災感知器４０を接続する感知器回線２０と地区音響回線（地区ベル回線３０）とに接続され、感知器回線２０を介して火災感知器４０から火災検出信号を受信した場合に、地区音響装置（地区ベル５０）の鳴動と光警報器６０の発光とによって警報を実行する制御手段をなす。
【００５７】
以上、本発明を実施形態に基づいて説明したが、本発明は上記実施形態のものに限定されるものではない。
例えば、地区音響装置は、地区ベル５０に限定されず、例えば非常放送装置であっても良い。
また、所定のバイナリコード（発光コマンド）は、発光タイミングを指定する情報を含まないものであっても良い。この場合、第２実施形態において、所定のバイナリコード（発光コマンド）は、発光させるグループを指定する情報のみを含むものとなる。
また、図２（ｂ）及び図６のタイミングチャートでは、電源供給の再開と同時に光警報器６０が発光（瞬間発光）しているが、光警報器６０の発光タイミングは、電源供給の再開と同時に限定されず、適宜変更可能である。
【符号の説明】
【００５８】
１  光警報器制御システム
１０  火災受信機（制御手段）
２０  感知器回線
３０  地区ベル回線（地区音響回線）
４０  火災感知器
５０  地区ベル（地区音響装置）
６０  光警報器
６１  フィルタ回路（フィルタ手段）
６２  電源回路（電力生成手段）
６３  充電回路（充電手段）
６６  発光回路（発光手段）
６７  発光素子（発光手段）
８０  地区ベル光警報制御中継器（制御手段）
【図１】
2020003896.tif 000003
【図２】
2020003896.tif 000004
【図３】
2020003896.tif 000005
【図４】
2020003896.tif 000006
【図５】
2020003896.tif 000007
【図６】
2020003896.tif 000008
【図７】
2020003896.tif 000009
【図８】
2020003896.tif 000010
【図９】
2020003896.tif 000011